(57)【要約】【課題】自端末以外の情報を考慮して自端末の安否状態を高精度に判定することが可能な携帯端末装置を提供する。【解決手段】本携帯端末装置は、緊急メッセージを受信し、また、近距離無線通信により他の携帯端末装置からの所定の信号を受信する無線通信部１０と、緊急メッセージを受信した場合に、所定の信号を受信した他の携帯端末装置の台数の増減に基づいて、当該携帯端末装置の所有者の安否状態を判定する安否状態判定部１５４と、を備える。【選択図】図１
2012023555.tif 000002
【特許請求の範囲】
【請求項１】
緊急メッセージを受信する第１の無線通信部と、
近距離無線通信により他の携帯端末装置からの所定の信号を受信する第２の無線通信部と、
前記第１の無線通信部により前記緊急メッセージを受信した場合に、前記第２の無線通信部により前記所定の信号を受信した前記他の携帯端末装置の台数の増減に基づいて、当該携帯端末装置の所有者の安否状態を判定する安否状態判定部と、
を備える携帯端末装置。
【請求項２】
請求項１に記載の携帯端末装置であって、更に、
前記第１の無線通信部により前記緊急メッセージを受信した場合に、当該携帯端末装置に係る安否状態を検出する自端末安否状態検出部を備え、
前記安否状態判定部は、前記第１の無線通信部により前記緊急メッセージを受信した場合に、前記第２の無線通信部により前記所定の信号を受信した前記他の携帯端末装置の台数の増減、及び前記自端末安否状態検出部により検出した当該携帯端末装置に係る安否状態、に基づいて、当該携帯端末装置の所有者の安否状態を判定する携帯端末装置。
【請求項３】
請求項２に記載の携帯端末装置であって、更に、
前記第２の無線通信部は、前記他の携帯端末装置に係る安否状態の情報を受信し、
前記安否状態判定部は、前記第１の無線通信部により前記緊急メッセージを受信した場合に、前記第２の無線通信部により前記所定の信号を受信した前記他の携帯端末装置の台数の増減、前記自端末安否状態検出部により検出した当該携帯端末装置に係る安否状態、及び前記第２の無線通信部により受信した前記他の携帯端末装置に係る安否状態の情報、に基づいて、当該携帯端末装置の所有者の安否状態を判定する携帯端末装置。
【請求項４】
請求項１ないし３のいずれか１項に記載の携帯端末装置であって、
前記安否状態判定部は、前記第２の無線通信部により前記所定の信号を受信した前記他の携帯端末装置の台数が所定台数未満である場合、報知部により緊急警報を発生させる携帯端末装置。
【請求項５】
請求項１ないし４のいずれか１項に記載の携帯端末装置であって、
前記第２の無線通信部は、前記第１の無線通信部により前記緊急メッセージを受信した場合に、近距離無線通信により所定の信号を送信する携帯端末装置。
【請求項６】
請求項２または３に記載の携帯端末装置であって、
前記第２の無線通信部は、前記第１の無線通信部により前記緊急メッセージを受信した場合に、前記自端末安否状態検出部により検出した当該携帯端末装置に係る安否状態の情報を、近距離無線通信により送信する携帯端末装置。
【請求項７】
緊急メッセージを受信するステップと、
近距離無線通信により他の携帯端末装置からの所定の信号を受信するステップと、
前記緊急メッセージを受信した場合に、前記所定の信号を受信した前記他の携帯端末装置の台数の増減に基づいて、携帯端末装置の所有者の安否状態を判定するステップと、
を有する安否状態判定方法。
【請求項８】
コンピュータに、
緊急メッセージを受信するステップと、
近距離無線通信により他の携帯端末装置からの所定の信号を受信するステップと、
前記緊急メッセージを受信した場合に、前記所定の信号を受信した前記他の携帯端末装置の台数の増減に基づいて、携帯端末装置の所有者の安否状態を判定するステップと、
を実行させるための安否状態判定プログラム。
【発明の詳細な説明】
【技術分野】
【０００１】
本発明は、携帯端末装置、安否状態判定方法、及び安否状態判定プログラムに関する。特に、災害発生時などの緊急時に、携帯端末装置を保持する者の安否状態を判定する携帯端末装置等に関する。
【背景技術】
【０００２】
地震や台風などの大規模な災害が発生した場合に、携帯電話などの携帯端末保持者の安否状態を伝える手段としては、従来、携帯電話会社が提供する災害用伝言板サービスなどが知られている。
【０００３】
また、携帯端末保持者が直接操作を行わなくても、自動的に安否状態を通知するシステムも提案されている（例えば、特許文献１を参照）。例えば、特許文献１に開示された情報通信システムでは、災害発生時に、安否情報の送信が許可されている相手の端末装置に安否情報を送信する。
【０００４】
特許文献１に開示された情報通信システムでは、同一基地局内に存在する端末からは一律同一内容の安否情報が送信されるのに対し、携帯端末（の保持者）の安否状態を個別に検出して自動的に通知する携帯端末も提案されている（例えば、特許文献２を参照）。例えば、特許文献２に開示された携帯端末では、緊急性があると判断できる電子メールを受信した場合、歩数計やＧＰＳを利用して、測定された歩行数や距離などの移動量に基づいて安否を判定し、予め定めた緊急連絡先に安否状態を通知する。
【０００５】
また、複数の携帯通信装置で構成される集団からの距離が大きくなった場合にその旨を他の端末に知らせるシステムなども提案されている（例えば、特許文献３を参照）。例えば、特許文献３に開示された携帯通信装置では、予め登録した複数の携帯通信装置の中で、近距離無線通信ができない程度に相互の距離が大きくなった携帯通信装置がある場合、当該携帯通信装置が集団から離脱したことを報知する。
【先行技術文献】
【特許文献】
【０００６】
【特許文献１】特開２００６−２７９１２９号公報
【特許文献２】特開２００８−２９３１３３号公報
【特許文献３】特開２００７−０７４５７４号公報
【発明の概要】
【発明が解決しようとする課題】
【０００７】
しかしながら、気象庁や各自治体などが送信する緊急速報の電子メールを受信しても、必ずしも避難の必要性があるとは限らない。また、安否状態の判定を歩数計やＧＰＳに基づく移動量で行っているため、睡眠中や歩行不要の状態にもかかわらず「被災」と判定、つまり、誤判定される可能性がある。また、携帯端末は、緊急性のある電子メール（エリアメールなど）を受信すると即座に移動状態の取得を開始するが、地震速報は十数秒前に通知されるため、実際に災害が到来する前の避難行動で「無事」と判定、つまり、誤判定される可能性がある。さらに、所定の閾値以上の歩行や移動をしている場合に「無事」と誤判定され、その後の被災を認識できない場合がある。
【０００８】
本発明は上記事情に鑑みてなされたものであって、自端末の安否状態を高精度に判定することが可能な携帯端末装置、安否状態判定方法、安否状態判定プログラムを提供することを目的とする。
【課題を解決するための手段】
【０００９】
本発明の携帯端末装置は、緊急メッセージを受信する第１の無線通信部と、近距離無線通信により他の携帯端末装置からの所定の信号を受信する第２の無線通信部と、前記第１の無線通信部により前記緊急メッセージを受信した場合に、前記第２の無線通信部により前記所定の信号を受信した前記他の携帯端末装置の台数の増減に基づいて、当該携帯端末装置の所有者の安否状態を判定する安否状態判定部と、を備える。
【００１０】
上記構成によれば、自端末以外の情報を考慮して自端末の安否状態を高精度に判定することが可能である。具体的には、ＷＬＡＮやＢＬＵＥＴＯＯＴＨ（登録商標）などの近距離通信が可能な近傍端末の増減数を把握することで、周辺の他の端末の避難状況を推測し、自らの安否状態をより正確に複数のレベルで検出することができる。例えば、緊急速報の電子メールを受信した際に、近傍の携帯端末数が減少している場合、当該携帯端末装置（の操作者）は、近傍の携帯端末数に変化がない場合や携帯端末数が増加している場合と比較して、安全でないと推定することができる。
【００１１】
また、本発明の携帯端末装置は、前記第１の無線通信部により前記緊急メッセージを受信した場合に、当該携帯端末装置に係る安否状態を検出する自端末安否状態検出部を備え、前記安否状態判定部が、前記第１の無線通信部により前記緊急メッセージを受信した場合に、前記第２の無線通信部により前記所定の信号を受信した前記他の携帯端末装置の台数の増減、及び前記自端末安否状態検出部により検出した当該携帯端末装置に係る安否状態、に基づいて、当該携帯端末装置の所有者の安否状態を判定する。
【００１２】
上記構成によれば、近傍の携帯端末数の増減から推測される当該携帯端末装置周辺の避難状況に加え、自端末の安否状態も考慮することができるので、より高精度に自端末の安否状態を判定することができる。
【００１３】
また、本発明の携帯端末装置は、前記第２の無線通信部が、前記他の携帯端末装置に係る安否状態の情報を受信し、前記安否状態判定部が、前記第１の無線通信部により前記緊急メッセージを受信した場合に、前記第２の無線通信部により前記所定の信号を受信した前記他の携帯端末装置の台数の増減、前記自端末安否状態検出部により検出した当該携帯端末装置に係る安否状態、及び前記第２の無線通信部により受信した前記他の携帯端末装置に係る安否状態の情報、に基づいて、当該携帯端末装置の所有者の安否状態を判定する。
【００１４】
上記構成によれば、近傍の携帯端末が、それぞれ自端末の安否状態を検出する機能を有している場合、近傍の携帯端末数の増減、自端末の安否状態に加え、近傍の携帯端末の安否状態も考慮することができるので、より高精度に自端末の安否状態を判定することができる。
【００１５】
また、本発明の携帯端末装置は、前記安否状態判定部が、前記第２の無線通信部により前記所定の信号を受信した前記他の携帯端末装置の台数が所定台数未満である場合、報知部により緊急警報を発生する。
【００１６】
上記構成によれば、近傍の救助可能な人数が減少する場合に、被災したまま取り残されないよう周囲に報知することができる。
【００１７】
また、本発明の携帯端末装置は、前記第２の無線通信部が、前記第１の無線通信部により前記緊急メッセージを受信した場合に、近距離無線通信により所定の信号を送信する。
【００１８】
上記構成によれば、当該携帯端末装置からの所定の信号を受信した近傍の携帯端末が、その端末以外の情報を考慮して、自端末の安否状態を高精度に判定することが可能である。
【００１９】
また、本発明の携帯端末装置は、前記第２の無線通信部が、前記第１の無線通信部により前記緊急メッセージを受信した場合に、前記自端末安否状態検出部により検出した当該携帯端末装置に係る安否状態の情報を、近距離無線通信により送信する。
【００２０】
上記構成によれば、近傍の携帯端末が当該携帯端末装置の安否状態も考慮することができるので、近傍の携帯端末が自端末の安否状態をより高精度に判定することができる。
【００２１】
本発明の携帯端末装置の安否状態判定方法は、緊急メッセージを受信するステップと、近距離無線通信により他の携帯端末装置からの所定の信号を受信するステップと、前記緊急メッセージを受信した場合に、前記所定の信号を受信した前記他の携帯端末装置の台数の増減に基づいて、携帯端末装置の所有者の安否状態を判定するステップと、を有する。
【００２２】
上記方法によれば、自端末以外の情報を考慮して自端末の安否状態を高精度に判定することが可能である。具体的には、ＷＬＡＮやＢＬＵＥＴＯＯＴＨなどの近距離通信が可能な近傍の携帯端末の増減を把握することで、周辺の携帯端末の避難状況を推測し、自らの安否状態をより高精度に判定することができる。
【００２３】
本発明の安否状態判定プログラムは、コンピュータに、緊急メッセージを受信するステップと、近距離無線通信により他の携帯端末装置からの所定の信号を受信するステップと、前記緊急メッセージを受信した場合に、前記所定の信号を受信した前記他の携帯端末装置の台数の増減に基づいて、携帯端末装置の所有者の安否状態を判定するステップと、を実行させるためのプログラムである。
【００２４】
上記プログラムによれば、自端末以外の情報を考慮して自端末の安否状態を高精度に判定することが可能である。具体的には、ＷＬＡＮやＢＬＵＥＴＯＯＴＨなどの近距離通信が可能な近傍の携帯端末の増減を把握することで、周辺の携帯端末の避難状況を推測し、自らの安否状態をより高精度に判定することができる。
【発明の効果】
【００２５】
本発明によれば、自端末の安否状態を高精度に判定することが可能である。
【図面の簡単な説明】
【００２６】
【図１】本発明の実施形態における携帯端末装置の概略構成を示すブロック図
【図２】本発明の実施形態における携帯端末装置による安否状態判定動作の手順を示すフローチャート
【図３】本発明の実施形態における携帯端末装置による近傍端末の情報に基づく安否状態判定動作の手順を示すフローチャート
【図４】本発明の実施形態における携帯端末装置による安否状態判定を行うためのテーブルの第１例を概念的に示す模式図
【図５】本発明の実施形態における携帯端末装置による安否状態判定を行うためのテーブルの第２例を概念的に示す模式図
【発明を実施するための形態】
【００２７】
以下、本発明の実施形態における携帯端末装置、安否状態判定方法、及び安否状態判定プログラムについて、図面を用いて詳細に説明する。
【００２８】
図１は、本発明の実施形態における携帯端末装置の概略構成を示すブロック図である。図１に示す携帯端末装置１は、主に、無線通信部１０、キー入力部２０、表示部３０、スピーカー４０、制御部１００、記憶部２００、で構成される。
【００２９】
無線通信部１０は、携帯電話の発着呼、電子メールの送受信、及び緊急メッセージの受信（第１の無線通信）や、ＢＬＵＥＴＯＯＴＨ（登録商標）、ＷＬＡＮ（Wireless LAN：無線ＬＡＮ）などの近距離通信（第２の無線通信）を含む無線通信を行う。キー入力部２０は、携帯端末装置１に入力を行うためのキーやボタンで構成される入力部である。表示部３０は、液晶ディスプレイなどで構成され、キー入力部２０からの入力内容の表示や、電子メールの内容表示などを行う。スピーカー４０は、緊急警報の発生などの報知動作を行う。
【００３０】
制御部１００は、携帯端末装置１の安否状態判定動作などに係る制御を行う。制御部１００は、主に、メッセージ送受信部１１０、緊急情報判定部１２０、自端末安否状態検出部１３０、安否状態通知部１４０、端末連携安否状態判定部１５０、で構成される。
【００３１】
メッセージ送受信部１１０は、外部の携帯端末装置などから送信された電子メールを受信したり、自端末で作成した電子メールを送信したりする。なお、電子メールは一例であり、電子メール以外のメッセージであっても、同様の内容のメッセージであればよい。
【００３２】
緊急情報判定部１２０は、受信した電子メールが、気象庁や各自治体や携帯電話会社などから大規模災害の発生を報知するために送信される緊急メッセージに係る電子メールであるか否かを判定する。
【００３３】
自端末安否状態検出部１３０は、自端末の安否状態を検出する。自端末の安否状態検出は、例えば、携帯端末装置１に実装されたＧＰＳや歩数計（図示せず）などの計器を利用し、携帯端末装置１の移動データに基づいて行う。なお、自端末の安否状態検出は、例えば、緊急メッセージを受信したときに行われる。
【００３４】
安否状態通知部１４０は、自端末安否状態検出部１３０により検出される安否状態や、後述する端末連携安否状態判定部１５０の安否状態判定部１５４により判定される安否状態に係る情報を、メッセージ送受信部１１０へ通知する。
【００３５】
端末連携安否状態判定部１５０は、携帯端末装置１の近傍に存在する他の携帯端末装置（以下、近傍端末ともいう）の台数の増減変化や近傍端末に係る安否状態を把握し、携帯端末装置１の安否状態をより高い精度で判定するための判定部である。端末連携安否状態判定部１５０は、主に、近傍端末検索部１５１、近傍端末数変化算出部１５２、近傍端末安否情報交換部１５３、安否状態判定部１５４、で構成される。
【００３６】
近傍端末検索部１５１は、ＢＬＵＥＴＯＯＴＨやＷＬＡＮなどを用いた近距離無線通信によって、近傍端末の有無を検索する。
【００３７】
近傍端末数変化算出部１５２は、近傍端末検索部１５１により検索した現在の近傍端末数と、後述する近傍端末数記憶部２１０に記録された前回の検索に係る近傍端末数とを比較し、近傍端末数の変化を算出する。
【００３８】
近傍端末安否情報交換部１５３は、近傍端末が、携帯端末装置１と同様に自端末の安否状態を検出することができる携帯端末装置である場合（即ち、自端末安否状態検出部１３０を有する場合）に、この近傍端末に係る安否情報をこの近傍端末から取得する。
【００３９】
安否状態判定部１５４は、少なくとも近傍端末数の増減に基づいて、携帯端末装置１つまり携帯端末装置１の所有者の安否状態を判定する。また、安否状態判定部１５４は、自端末安否状態検出部１３０が検出した自端末に係る安否状態と、近傍端末数の増減に基づいて、携帯端末装置１の安否状態を判定してもよい。さらに、安否状態判定部１５４は、自端末安否状態検出部１３０が検出した自端末に係る安否状態と、近傍端末数の増減と、当該近傍端末に係る安否状態と、に基づいて、携帯端末装置１の安否状態を判定してもよい。
【００４０】
記憶部２００は、主に、近傍端末数記憶部２１０、安否状態判定ＤＢ２２０を備える。近傍端末数記憶部２１０は、近傍端末数に係る情報を記憶する。安否状態判定ＤＢ２２０は、少なくとも近傍端末数に基づいて行う安否状態判定部１５４による安否状態判定を行うためのテーブルなどを記憶する。このテーブルの具体例は、後述する図４及び図５に示されている。
【００４１】
なお、本実施形態で説明する携帯端末装置１の安否状態判定方法の各ステップを実行させるための安否状態判定プログラムは、記憶部２００に格納される。
【００４２】
次に、携帯端末装置１の安否状態判定動作について説明する。
【００４３】
図２は、本発明の実施形態における携帯端末装置１の安否状態判定動作の手順の一例を示すフローチャートである。
【００４４】
まず、制御部１００のメッセージ送受信部１１０は、所定の周期で、無線通信部１０を介したメッセージの受信の有無を監視し（ステップＳ１０１）、メッセージを受信した場合、緊急情報判定部１２０は、緊急性のある情報であるか否かを判定する（ステップＳ１０２）。この判定は、電子メールのタイトルや本文に「大地震発生」や「台風警報」などの緊急性を示す語彙が含まれているか否か、メッセージ内に緊急性を示す特定のフラグがＯＮになっているか否かなどに基づいて、行われる。
【００４５】
緊急情報判定部１２０が緊急情報であると判断した場合、自端末安否状態検出部１３０は、自端末の移動状態を取得し（ステップＳ１０３）、自端末の安否状態を検出する（ステップＳ１０４）。移動状態の取得は、例えば、携帯端末装置１に装置されたＧＰＳや歩数計の時系列の測定データから取得することができる。そして、例えば、取得した移動量に係る測定データが、所定の閾値以上であれば携帯端末装置１の安否状態が「無事」であるとして検出し、所定の閾値未満であれば携帯端末装置１の安否状態が「被災」であるとして検出する。
【００４６】
続いて、自端末安否状態検出部１３０は、検出した自端末の安否状態の情報を、端末連携安否状態判定部１５０の近傍端末検索部１５１、近傍端末安否情報交換部１５３へ通知する（ステップＳ１０５）。通知を受けた近傍端末検索部１５１、近傍端末安否情報交換部１５３は、近傍端末の情報に基づく安否状態判定を行う（ステップＳ１０６）。
【００４７】
図３は、携帯端末装置１による近傍端末の情報に基づく安否状態判定動作（ステップＳ１０６）の詳細を示すフローチャートである。
【００４８】
まず、近傍端末検索部１５１は、定期的に、無線通信部１０を介して、近距離無線通信（ＷＬＡＮ、ＢＬＵＥＴＯＯＴＨなど）により近傍端末を検索する（ステップＳ２０１）。例えば、無線通信部１０により近傍端末からの所定の信号（近傍端末の存在を示す信号や近傍端末の安否状態を示す信号など）を受信した場合に、近傍端末が存在することを検知する。検知された近傍端末の端末数は近傍端末数記憶部２１０へ記録される。
【００４９】
続いて、近傍端末数変化算出部１５２が、近傍端末数記憶部２１０に時系列で記録された近傍端末数のデータから、検出された近傍端末数の増減を算出する。そして、安否状態判定部１５４は、安否状態判定データベース２２０に記録されている安否状態判定のためのテーブルを参照し、近傍端末数の増減に基づいて、携帯端末装置１の安否状態判定を行う（ステップＳ２０２）。
【００５０】
図４は、携帯端末装置１による安否状態判定を行うためのテーブルの第１例を概念的に示す模式図である。図４に示すテーブルによれば、携帯端末装置１の安否状態と近傍端末数の増減により、携帯端末装置１の被災レベルをより詳細に分類することができる。
【００５１】
即ち、安否状態判定部１５４は、携帯端末装置１が「無事」と検出されている状態において、近傍端末数が減少した場合には、被災レベルは「小」と判定する。また、安否状態判定部１５４は、携帯端末装置１が「無事」と検出されている状態において、近傍端末数が変化しなかった場合には、携帯端末装置１は「無事」と判定する。更に、安否状態判定部１５４は、携帯端末装置１が「無事」と検出されている状態において、近傍端末数が増加した場合には、携帯端末装置１は「無事」（避難した）と判定する。
【００５２】
また、安否状態判定部１５４は、携帯端末装置１が「被災」と検出されている状態において、近傍端末数が減少した場合には、被災レベルは「中」と判定する。また、安否状態判定部１５４は、携帯端末装置１が「被災」と検出されている状態において、近傍端末数が変化しなかった場合には、被災レベルは「小」と判定する。更に、安否状態判定部１５４は、携帯端末装置１が「被災」と検出されている状態において、近傍端末数が増加した場合には、被災レベルは「中」（救助中である）と判定する。
【００５３】
ところで、図４を参照すると、近傍端末数が減少した場合に、携帯端末装置１が「無事」であるか「被災」であるかによって推定される被災レベルが異なる。これは、近傍端末数が減少するということは、避難者もいるが避難が遅れている者もいると想定され、「被災」している確率が高いと考えられるからである。
【００５４】
このように、自端末である携帯端末装置１の安否状態に加え、近傍端末数の増減から周囲の安否状況を推定することにより、携帯端末装置１の安否状態をより高い精度で通知することができる。
【００５５】
尚、本実施形態では、６種類の分類例を示したが、これに限定されるものではなく、近傍端末数に閾値を設定するなどして更に多くのレベルに分類してもよい。また、推定される被災レベルの設定を図４に示すように行ったが、これに限定されるものではなく、災害の種類や地域性などに応じて適宜設定してもよい。
【００５６】
続いて、近傍端末検索部１５１は、近傍端末が携帯端末装置１と同様に自端末である近傍端末の安否情報を検出できる端末であるか否か、即ち、近傍端末からこの近傍端末に係る安否情報を取得可能であるか否かを判定する（ステップＳ２０３）。近傍端末に係る安否情報を取得可能である場合、近傍端末安否情報交換部１５３は、近傍端末に係る安否情報を取得する。
【００５７】
近傍端末に係る安否情報を取得すると、安否状態判定部１５４は、安否状態判定データベース２２０に記録されている安否状態判定のためのテーブルを参照し、取得した近傍端末に係る安否情報等に基づいて、携帯端末装置１の安否状態判定を行う（ステップＳ２０４）。
【００５８】
図５は、携帯端末装置１による安否状態判定を行うためのテーブルの第２例を概念的に示す模式図である。図５に示すテーブルによれば、携帯端末装置１の安否状態、近傍端末数の増減、および近傍端末に係る安否情報により、携帯端末装置１の被災レベルをより詳細に分類することができる。
【００５９】
即ち、安否状態判定部１５４は、携帯端末装置１が「無事」と検出されている状態において、近傍端末数が減少し、近傍端末の安否情報が全て「無事」であるときは、携帯端末装置１は「無事」であると判定する。また、安否状態判定部１５４は、携帯端末装置１が「無事」と検出されている状態において、近傍端末数が減少し、近傍端末の安否情報に「無事」が多いときも、携帯端末装置１は「無事」であると判定する。一方、安否状態判定部１５４は、携帯端末装置１が「無事」と検出されている状態において、近傍端末数が減少し、近傍端末の安否情報に「被災」が多いときは、携帯端末装置１の被災レベルは「小」と判定する。
【００６０】
なお、無事が多いか否か、被災が多いか否かは、例えば、あらかじめ定められた閾値と比較することで判断される。
【００６１】
また、安否状態判定部１５４は、携帯端末装置１が「無事」と検出されている状態において、近傍端末数が変化せず、近傍端末の安否情報が全て「無事」であるときは、携帯端末装置１は「無事」であると判定する。また、安否状態判定部１５４は、携帯端末装置１が「無事」と検出されている状態において、近傍端末数が変化せず、近傍端末の安否情報に「無事」が多いときも、携帯端末装置１は「無事」であると判定する。一方、安否状態判定部１５４は、携帯端末装置１が「無事」と検出されている状態において、近傍端末数が変化せず、近傍端末の安否情報に「被災」が多いときは、携帯端末装置１の被災レベルは「小」と判定する。
【００６２】
また、安否状態判定部１５４は、携帯端末装置１が「無事」と検出されている状態において、近傍端末数が増加し、近傍端末の安否情報が全て「無事」であるときは、携帯端末装置１は「無事」（避難した）と判定する。また、安否状態判定部１５４は、携帯端末装置１が「無事」と検出されている状態において、近傍端末数が増加し、近傍端末の安否情報に「無事」が多いときも、携帯端末装置１は「無事」（避難した）と判定する。更に、安否状態判定部１５４は、携帯端末装置１が「無事」と検出されている状態において、近傍端末数が増加し、近傍端末の安否情報に「被災」が多いときも、携帯端末装置１は「無事」（避難した）と判定する。
【００６３】
また、安否状態判定部１５４は、携帯端末装置１が「被災」と検出されている状態において、近傍端末数が減少し、近傍端末の安否情報が全て「無事」であるときは、携帯端末装置１の被災レベルは「中」と判定する。また、安否状態判定部１５４は、携帯端末装置１が「被災」と検出されている状態において、近傍端末数が減少し、近傍端末の安否情報に「無事」が多いときも、携帯端末装置１の被災レベルは「中」と判定する。一方、安否状態判定部１５４は、携帯端末装置１が「被災」と検出されている状態において、近傍端末数が減少し、近傍端末の安否情報に「被災」が多いときは、携帯端末装置１の被災レベルは「大」と判定する。
【００６４】
また、安否状態判定部１５４は、携帯端末装置１が「被災」と検出されている状態において、近傍端末数が変化せず、近傍端末の安否情報が全て「無事」であるときは、携帯端末装置１は「無事」であると判定する。また、安否状態判定部１５４は、携帯端末装置１が「被災」と検出されている状態において、近傍端末数が変化せず、近傍端末の安否情報に「無事」が多いときは、携帯端末装置１の被災レベルは「中」と判定する。また、安否状態判定部１５４は、携帯端末装置１が「被災」と検出されている状態において、近傍端末数が変化せず、近傍端末の安否情報に「被災」が多いときは、携帯端末装置１の被災レベルは「大」と判定する。
【００６５】
また、安否状態判定部１５４は、携帯端末装置１が「被災」と検出されている状態において、近傍端末数が増加し、近傍端末の安否情報が全て「無事」であるときは、携帯端末装置１の被災レベルは「小」（救助中である）と判定する。また、安否状態判定部１５４は、携帯端末装置１が「被災」と検出されている状態において、近傍の端末数が増加し、近傍端末の安否情報に「無事」が多いときは、携帯端末装置１の被災レベルは「中」（救助中である）と判定する。また、安否状態判定部１５４は、携帯端末装置１が「被災」と検出されている状態において、近傍端末数が増加し、近傍端末の安否情報に「被災」が多いときは、携帯端末装置１の被災レベルは「大」（救助中である）と判定する。
【００６６】
このように、自端末の安否状態に加え、近傍端末数の増減変化および近傍端末に係る安否状態から、自端末の安否状態をより高い精度で判定することができる。
【００６７】
尚、本実施形態では、１８種類の分類例を示したが、これに限定されるものではなく、安否情報を取得できた近傍端末数に閾値を設定するなどして、更に多くのレベルに分類してもよい。また、推定される被災レベルの設定を図５に示すように行ったが、これに限定されるものではなく、災害の種類や地域性などに応じて適宜設定してもよい。
【００６８】
図３のフローチャートに戻り、ステップＳ２０３において近傍端末に係る安否情報を取得可能でない場合、ステップＳ２０４の処理を実施せずに、ステップＳ２０５へ進む。
【００６９】
続いて、安否状態判定部１５４は、近傍端末数が極小であるか否かを判断する（ステップＳ２０５）。近傍端末数が極小である場合、安否状態判定部１５４は、スピーカー４０から緊急警報を発生させる（ステップＳ２０６）。近傍端末が極めて少なくなるということは、近傍の救助可能な人数が少なくなることが想定される。このような場合に、被災したまま取り残されることがないよう警報を発生して、近隣者へ救助を促すものである。なお、近傍端末が極めて少ないか否かは、所定の端末数より少ないか否かで判断する。
【００７０】
図２のフローチャートに戻り、端末連携安否状態判定部１５０の安否状態判定部１５４は、図３の手順で判定した携帯端末装置１の安否状態の情報を、安否状態通知部１４０へ通知する（ステップＳ１０７）。以上のステップＳ１０３からステップＳ１０７までの手順は、一定周期で繰り返し実行される。自端末安否状態検出部１３０は、上記一連の動作を終了するか否かを判定し（ステップＳ１０８）。一定周期の繰り返しが終了した場合、図２に示した安否状態検出動作を終了する。
【００７１】
なお、安否状態通知部１４０は、安否状態に係るメッセージを作成し、メッセージ送受信部１１０、無線通信部１０を介して、近距離通信により近傍端末へ安否状態を通知することができる。例えば、近距離通信により所定の信号や携帯端末装置１に係る安否状態の情報を送信することで、近傍端末は、携帯端末装置１と同様に、自端末の安否状態を高精度に判定することができるようになる。さらに、携帯端末装置１と同様の機能を近傍端末が有することで、携帯端末装置１と複数の近傍端末とで安否状態判定システムを構成することも可能である。
【００７２】
以上のように、本発明の実施形態における携帯端末装置によれば、携帯端末装置１の安否状態検出に加え、近傍端末と近距離無線通信を行って、近傍端末数の増減、当該近傍端末の安否状態に係る情報等を取得することにより、高精度に携帯端末装置１の安否状態を判定することができる。また、一回の安否状態判定だけではなく、安否状態判定を繰り返して実行することにより、携帯端末装置１の安否状態の変化を把握、通知することができる。更に、携帯端末装置１の所有者が避難できず、取り残される虞がある場合は警報鳴動で報知し、救助を促進することができる。
【産業上の利用可能性】
【００７３】
本発明は、自端末の安否状態を高精度に判定することが可能な携帯端末装置、安否状態判定方法、及び安否状態判定プログラム等に有用である。
【符号の説明】
【００７４】
１  携帯端末装置
１０  無線通信部
２０  キー入力部
３０  表示部
４０  スピーカー
１００  制御部
１１０  メッセージ送受信部
１２０  緊急情報判定部
１３０  自端末安否状態検出部
１４０  安否状態通知部
１５０  端末連携安否状態判定部
１５１  近傍端末検索部
１５２  近傍端末数変化算出部
１５３  近傍端末安否情報交換部
１５４  安否状態判定部
２００  記憶部
２１０  近傍端末数記憶部
２２０  安否状態判定データベース（安否状態判定ＤＢ）
【図１】
2012023555.tif 000003
【図２】
2012023555.tif 000004
【図３】
2012023555.tif 000005
【図４】
2012023555.tif 000006
【図５】
2012023555.tif 000007